(57)【要約】【課題】隣り合うタイルの上端面及び底面の位置合わせを効果的に行うことができる、タイル平坦化装置を提供する。【解決手段】タイル平坦化装置は、上部圧環１、下部係合部材２及び挿入板方向転換ユニット３を備える。上部圧環１は、上端面にフランジ１１を有する。下部係合部材２は、上端に設けられた結合ブロック２１と、中央部に設けられた連杆２２と、下端に設けられた挿入板２３とを有する。挿入板２３の上縁両端には、下部係合部２４が設けられる。挿入板方向転換ユニット３は、互いに貼り合わせるＡ方向転換部材３１及びＢ方向転換部材３２を含む。Ａ方向転換部材３１の内面下段は、結合ブロック２１及び連杆２２上段を嵌入させるＡ嵌合ブロック槽３１１及びＡ嵌杆槽３１２を有する。Ｂ方向転換部材３２の内面下段は、結合ブロック２１及び連杆２２上段を嵌入させるＢ嵌合ブロック槽３２１及びＢ嵌杆槽３２２を有する。【選択図】図１
0003200659.tif 000002
【実用新案登録請求の範囲】
【請求項１】
上部圧環、下部係合部材及び挿入板方向転換ユニットを備えたタイル平坦化装置であって、
前記上部圧環は、上端面にフランジを有し、前記フランジ内には、ねじ孔が形成され、前記フランジの外側には、回転円板が設けられ、
前記下部係合部材は、上端に設けられた結合ブロックと、中央部に設けられた連杆と、下端に設けられた挿入板と、を有し、前記挿入板の上縁両端には、下部係合部が設けられ、
前記挿入板方向転換ユニットは、互いに貼り合わせるＡ方向転換部材及びＢ方向転換部材を含み、前記Ａ方向転換部材の内面下部は、前記結合ブロック及び前記連杆上部を嵌入させるＡ嵌合ブロック槽及びＡ嵌杆槽を有し、前記Ａ方向転換部材の下部外側には、前記回転円板のねじ孔に対応するＡ雄ねじが形成され、前記Ｂ方向転換部材の内面下部は、前記結合ブロック及び前記連杆上部を嵌入させるＢ嵌合ブロック槽及びＢ嵌杆槽を有し、前記Ｂ方向転換部材の下部外側には、前記回転円板の前記ねじ孔に対応するＢ雄ねじが形成されていることを特徴とするタイル平坦化装置。
【請求項２】
前記下部係合部材の前記結合ブロックは、多角形又は非円形であることを特徴とする請求項１に記載のタイル平坦化装置。
【請求項３】
前記Ａ嵌合ブロック槽及び前記Ｂ嵌合ブロック槽の形状は、前記結合ブロックの形状に対応することを特徴とする請求項２に記載のタイル平坦化装置。
【請求項４】
前記上部圧環の下端面は平坦であることを特徴とする請求項１に記載のタイル平坦化装置。
【請求項５】
前記Ａ方向転換部材及び前記Ｂ方向転換部材の内側面は平坦であることを特徴とする請求項１に記載のタイル平坦化装置。
【請求項６】
前記下部係合部は、角状に尖った形状を有することを特徴とする請求項１に記載のタイル平坦化装置。
【考案の詳細な説明】
【技術分野】
【０００１】
本考案は、タイル平坦化装置に関するものであり、さらに詳しくは、回転円板の下端面をタイルの上端面に密着させ、回転円板を回転させて押下すると、挿入板方向転換ユニットと回転円板とが反対方向へ変位し、下部係合部材の下端に設けられた挿入板の２つの下部係合部が、隣り合うタイルの下端面に当接され、隣り合うタイルの上端面及び底面の位置合わせ可能なタイル平坦化装置に関するものである。
【背景技術】
【０００２】
従来、タイル貼りの施工作業を行う専門スタッフは、長年の経験に基づき、目で観察しながらハンドツールを使ってタイルを叩き、タイルを平らに並べていたため、タイルの施工作業には多くの時間及び労力がかかる上、貼られたタイルに高低差が生じてしまい、外観に悪影響を与える虞があった。
【考案の概要】
【考案が解決しようとする課題】
【０００３】
従って、本考案の課題は、前記の如き、タイル貼りの施工作業において生じる問題点に鑑み、隣り合うタイルのブロックの高低差を解消するため、隣り合うタイルの上端面及び底面の位置合わせを容易な操作により効果的に行うことが可能なタイル平坦化装置を提供することにある。
【課題を解決するための手段】
【０００４】
そこで、本考案者は、前記の本考案の課題を解決するため、鋭意検討を重ねたところ、後記の如く、回転円板と、挿入板方向転ユニットを有するタイル平坦化装置であって、回転円板の下端面をタイルの上端面に密着させ、回転円板を回転させて押下すると、挿入板方向転換ユニットと回転円板とが反対方向へ変位し、挿入板の２つの下部係合部が、隣り合うタイルの下端面に当接され、隣り合うタイルの上端面及び底面の位置合わせを効果的に行うことができることに着目し、かかる知見に基いて本考案に想到した。また、挿入板がタイル平坦化装置から引き抜かれる過程で挿入板が損壊してしまった場合においても、挿入板方向転換ユニットを回転円板から引き抜いてから、Ａ嵌合ブロック槽及びＢ嵌合ブロック槽内部に挟設された下部係合部材を交換することができるため、タイル平坦化装置全体を廃棄する必要がなく、コストを減らすことができるタイル平坦化装置を提供することを見出した。
かくして、請求項１に係る考案によれば、
上部圧環、下部係合部材及び挿入板方向転換ユニットを備えたタイル平坦化装置であって、
前記上部圧環は、上端面にフランジを有し、前記フランジ内には、ねじ孔が形成され、前記フランジの外側には、回転円板が設けられ、
前記下部係合部材は、上端に設けられた結合ブロックと、中央部に設けられた連杆と、下端に設けられた挿入板と、を有し、前記挿入板の上縁両端には、下部係合部が設けられ、
前記挿入板方向転換ユニットは、互いに貼り合わせるＡ方向転換部材及びＢ方向転換部材を含み、前記Ａ方向転換部材の内面下部は、前記結合ブロック及び前記連杆上部を嵌入させるＡ嵌合ブロック槽及びＡ嵌杆槽を有し、前記Ａ方向転換部材の下部外側には、前記回転円板のねじ孔に対応するＡ雄ねじが形成され、前記Ｂ方向転換部材の内面下部は、前記結合ブロック及び前記連杆上部を嵌入させるＢ嵌合ブロック槽及びＢ嵌杆槽を有し、前記Ｂ方向転換部材の下部外側には、前記回転円板の前記ねじ孔に対応するＢ雄ねじが形成されていることを特徴とするタイル平坦化装置が提供される。
また、請求項２に係る考案によれば、
前記下部係合部材の前記結合ブロックは、多角形又は非円形であることを特徴とする請求項１に記載のタイル平坦化装置が提供される。
さらに、請求項３に係る考案によれば、
前記Ａ嵌合ブロック槽及び前記Ｂ嵌合ブロック槽の形状は、前記結合ブロックの形状に対応することを特徴とする請求項２に記載のタイル平坦化装置が提供される。
請求項４に係る考案によれば、
前記上部圧環の下端面は平坦であることを特徴とする請求項１に記載のタイル平坦化装置が提供される。
請求項５に係る考案によれば、
前記Ａ方向転換部材及び前記Ｂ方向転換部材の内側面は平坦であることを特徴とする請求項１に記載のタイル平坦化装置が提供される。
請求項６に係る考案によれば、
前記下部係合部は、角状に尖った形状を有することを特徴とする請求項１に記載のタイル平坦化装置が提供される。
【考案の効果】
【０００５】
本考案は、前記の通りの構成からなり、回転円板を回転させて押下すると挿入板方向転換ユニットと回転円板とが反対方向へ回転し合い、下部係合部が隣り合うタイルの下端面に当接されるので各タイルの高低差を容易な操作で調整することができ、効果的に隣り合うタイルを平坦化することができる。
【図面の簡単な説明】
【０００６】
【図１】図１は、本考案の一実施形態に係るタイル平坦化装置を示す分解斜視図である。
【図２】図２は、本考案の一実施形態に係るタイル平坦化装置を示す斜視図である。
【図３】図３は、本考案の一実施形態に係るタイル平坦化装置を示す斜視図であり、挿入板がタイルの隙間に対して平行にセットされた状態を示す。
【図４】図４は、本考案の一実施形態に係るタイル平坦化装置を示す断面図であり、挿入板がタイルの隙間に対して平行にセットされた状態を示す。
【図５】図５は、本考案の一実施形態に係るタイル平坦化装置を示す斜視図であり、挿入板がタイルの隙間に対して垂直にセットされた状態を示す。
【図６】図６は、本考案の一実施形態に係るタイル平坦化装置を示す断面図であり、挿入板がタイルの隙間に対して垂直にセットされた状態を示す。
【図７】図７は、本考案の一実施形態に係るタイル平坦化装置の回転円板を押下し、挿入板の係合端がタイルの底面に係合された状態を示す断面図である。
【考案を実施するための形態】
【０００７】
図１及び図２を参照する。図１及び図２に示すように、本考案の一実施形態に係るタイル平坦化装置は、少なくとも上圧環１、下係合部材２及び挿入板方向転換ユニット３から構成されてなる。
【０００８】
上圧環１は、上端面にフランジ１１を有する。フランジ１１内には、ねじ孔１２が形成される。フランジ１１の外側には、回転円板１３が設けられる。上圧環１の下端面は平坦である。
【０００９】
下係合部材２は、上端に設けられた結合ブロック２１と、中段に設けられた連杆２２と、下端に設けられた挿入板２３と、を有する。挿入板２３の上縁両端には、下係合部２４が設けられる。下係合部２４の結合ブロック２１は、多辺形又は非円形である。下係合部２４は、角状に尖った形状を有する。
【００１０】
挿入板方向転換ユニットは、互いに貼り合わせるＡ方向転換部材３１及びＢ方向転換部材３２を含み、Ａ方向転換部材３１の内面下部は、結合ブロック２１及び連杆２２上部を嵌入させるＡ嵌合ブロック槽３１１及びＡ嵌杆槽３１２を有する。Ａ方向転換部材３１の下部外側には、回転円板１３のねじ孔１２に対応するＡ雄ねじ３１３が形成されている。Ｂ方向転換部材３２の内面下部は、結合ブロック２１及び連杆２２上部を嵌入させるＢ嵌合ブロック槽３２１及びＢ嵌杆槽３２２を有する。Ｂ方向転換部材３２の下部外側には、回転円板１３のねじ孔１２に対応するＢ雄ねじ３２３が形成されている。Ａ嵌合ブロック槽３１１及びＢ嵌合ブロック槽３２１の形状は、結合ブロック２１の形状に対応する。Ａ方向転換部材３１及びＢ方向転換部材３２の内側面は平坦である。
【００１１】
図３を参照する。図３に示すように、本考案の一実施形態に係るタイル平坦化装置をタイル４に密着させてタイルを平坦にする際、まず、下部係合部材２下端に設けられた挿入板２３をタイル４の隙間に挿入し、タイル４下方のセメント面に挿入板２３を深く挿入させ、結合ブロック２１を回転させて挿入板２３をタイル４間の隙間に対して垂直にする。続いて、上部圧環１を下部係合部材２に外嵌し、Ａ方向転換部材３１とＢ方向転換部材３２との内面を貼り合わせると、結合ブロック２１がＡ嵌杆槽３１２及びＢ嵌杆槽３２２内に挟持され、Ａ方向転換部材３１及びＢ方向転換部材３２のＡ雄ねじ３１３及びＢ雄ねじ３２３が回転円板１３のねじ孔１２に螺合される。タイル４を平らに密着させる際、回転円板１３の下端面を回転させるだけで、タイル４の上端面に密着させることができる。回転円板１３を回転させて押下すると、挿入板方向転換ユニット３と回転円板１３とが反対方向へ回転し合い、挿入板２３の２つの下部係合部２４は、隣り合うタイル４の下端面に当接され、隣り合うタイル４の上端面及び底面が平らになるように調整してタイルが貼られる。
【００１２】
本実施形態のタイル平坦化装置を引き抜いて外す場合、挿入板方向転換ユニット３を回転させてタイル４の下端面の挿入板２３をタイル４間の間隙に対して平行にしてから、挿入板方向転換ユニット３を引っ張ると、タイル４の間隙から挿入板２３が引き抜かれるが、タイル平坦化装置の挿入板２３を取り外す過程で損壊させてしまった場合でも、回転円板１３から挿入板方向転換ユニット３を外し、Ａ嵌杆槽３１２及びＢ嵌杆槽３２２内に挟設された下係合部材２を新しい物と交換することができるため、タイル平坦化装置全体を廃棄する必要はなく、タイルを貼る施工で発生するコストを減らすことができて実用的である。
【符号の説明】
【００１３】
１  上部圧環
２  下部係合部材
３  挿入板方向転換ユニット
４  タイル
１１  フランジ
１２  ねじ孔
１３  回転円板
２１  結合ブロック
２２  連杆
２３  挿入板
２４  下部係合部
３１  Ａ方向転換部材
３２  Ｂ方向転換部材
３１１  Ａ嵌合ブロック槽
３１２  Ａ嵌杆槽
３１３  Ａ雄ねじ
３２１  Ｂ嵌合ブロック槽
３２２  Ｂ嵌杆槽
３２３  Ｂ雄ねじ
【図１】
0003200659.tif 000003
【図２】
0003200659.tif 000004
【図３】
0003200659.tif 000005
【図４】
0003200659.tif 000006
【図５】
0003200659.tif 000007
【図６】
0003200659.tif 000008
【図７】
0003200659.tif 000009